(57)【要約】【課題】  テレビジョン放送番組とコンテンツ関連情報とを連携させた情報提供を実現する。【解決手段】  放送受信端末装置において、受信された放送コンテンツに多重されているデータ放送コンテンツを再生するブラウザの一部として、前記データ放送コンテンツに含まれる手続き記述を実行する手続き記述処理部を備え、プロトコルと前記手続き記述とを変換するプロトコル−手続き記述変換部を備え、前記手続き記述処理部が、前記放送コンテンツを検索するためのコンテンツ関連情報を、前記プロトコル−手続き記述変換部経由で装置外から取得する。【選択図】  図１
2006197353.tif 000002
【特許請求の範囲】
【請求項１】
受信された放送コンテンツに多重されているデータ放送コンテンツを再生するブラウザの一部として、前記データ放送コンテンツに含まれる手続き記述を実行する手続き記述処理部を備え、
プロトコルと前記手続き記述とを変換するプロトコル−手続き記述変換部を備え、
前記手続き記述処理部が、前記放送コンテンツを検索するためのコンテンツ関連情報を、前記プロトコル−手続き記述変換部経由で装置外から取得することを特徴とする放送受信端末装置。
【請求項２】
前記コンテンツ関連情報の内容を解析するコンテンツ関連情報解析部を備えることを特徴とする請求項１に記載の放送受信端末装置。
【請求項３】
前記コンテンツ関連情報解析部は、前記手続き記述処理部の一部として備えられることを特徴とする請求項２に記載の放送受信端末装置。
【請求項４】
前記コンテンツ関連情報解析部は、前記プロトコル−手続き記述変換部の一部として備えられることを特徴とする請求項２に記載の放送受信端末装置。
【請求項５】
前記手続き記述処理部が、前記放送コンテンツを検索するためのコンテンツ関連情報を、前記コンテンツ関連情報の取得を要求する手続き記述に基づいて、前記プロトコル−手続き記述変換部経由で装置外から取得することを特徴とする請求項１に記載の放送受信端末装置。
【請求項６】
前記手続き記述処理部が、前記放送コンテンツを検索するためのコンテンツ関連情報を、前記コンテンツ関連情報の取得を要求する手続き記述および前記データ放送コンテンツに含まれる伝送プロトコルデータに基づいて、前記プロトコル−手続き記述変換部経由で装置外から取得することを特徴とする請求項５に記載の放送受信端末装置。
【請求項７】
前記手続き記述処理部の一部として、伝送プロトコルと前記手続き記述とを変換する伝送プロトコル−手続き記述変換部を備えることを特徴とする請求項１に記載の放送受信端末装置。
【請求項８】
前記コンテンツ関連情報の取得の結果を割込みとして前記手続き記述処理部に通知するコンテンツ関連情報取得割込み通知部を備えることを特徴とする請求項１に記載の放送受信端末装置。
【請求項９】
前記コンテンツ関連情報取得割込み通知部は、前記コンテンツ関連情報の取得の結果を割込みとして通知する手続き記述に基づいて、前記コンテンツ関連情報の取得の結果を割込みとして前記手続き記述処理部に通知することを特徴とする請求項８に記載の放送受信端末装置。
【発明の詳細な説明】
【技術分野】
【０００１】
この発明は、デジタル放送に係る放送受信技術に関するものである。
【背景技術】
【０００２】
従来のデジタル放送システムでは、放送受信端末装置において、ネットワーク経由等で取得した外部コンテンツ関連情報を、テレビジョン放送番組提示部とは別の専用アプリケーションによって提示していた（例えば、特許文献１）。
【特許文献１】特開2003-18581号公報（第３頁〜４頁、第１図）
【発明の開示】
【発明が解決しようとする課題】
【０００３】
従来のデジタル放送システムでは、放送受信端末装置において、テレビジョン放送番組提示部の他に、外部から取得したコンテンツ関連情報を提示するための専用部を別途設ける必要があり、そのため、放送コンテンツであるテレビジョン放送番組と外部コンテンツ関連情報とを連携させた処理ができないという問題点があった。
【０００４】
この発明は、上記のような課題を解決するためになされたもので、視聴者に対して、テレビジョン放送番組制作者の意図に従って、テレビジョン放送番組と外部コンテンツ関連情報とを連携させた情報提供を行うこと目的とする。
【課題を解決するための手段】
【０００５】
この発明に係る放送受信端末装置は、受信された放送コンテンツに多重されているデータ放送コンテンツを再生するブラウザの一部として、前記データ放送コンテンツに含まれる手続き記述を実行する手続き記述処理部を備え、プロトコルと前記手続き記述とを変換するプロトコル−手続き記述変換部を備え、前記手続き記述処理部が、前記放送コンテンツを検索するためのコンテンツ関連情報を、前記プロトコル−手続き記述変換部経由で装置外から取得するものである。
【発明の効果】
【０００６】
この発明によれば、放送受信端末装置において、放送コンテンツとコンテンツ関連情報とを連携させた処理を実現することができる。
【発明を実施するための最良の形態】
【０００７】
実施の形態１．
図１はこの発明のデジタル放送システムの構成図である。
図１において、放送局１は、映像と音声からなる本放送サービスとデータ放送サービスなどを放送番組としてＭＰＥＧ−２  トランスポートストリーム（以下ＴＳという、ISO/IEC13818-1勧告）の形式に多重され、ＯＦＤＭ（Orthogonal Frequency Division Multiplexing）などの伝送路符号化を行って、放送波２として放送される。
【０００８】
放送受信端末装置１００は、視聴者からのチャネル選択指示によって、受信アンテナ９９を介して、指定チャネルの放送波２を受信し、視聴者に放送番組を再生・表示する。放送受信端末装置１００は、ネットワーク３を介して、コンテンツ関連情報提供サーバ２００などにアクセスを行う。
このデータ放送サービス方式の一例としては、社団法人  電波産業会  発行の  ＡＲＩＢ  ＳＴＤ−Ｂ２４「デジタル放送におけるデータ放送符号化方式と伝送方式」に規定されるものなどがあげられる。
これは、放送受信機の特徴であるリモコン制御や、ネットワーク経由でのセキュアな通信を実現し、かつテレビジョンモニタ上で同一の表示結果を得られるよう規格化され、ＢＭＬ（Broadcast Markup Language）というマークアップ言語を中心に、スクリプトおよびＤＯＭ（Document Object Model）などの手続き記述処理部方式、表示スタイルを記述するＣＳＳ（Cascading Style Sheets）などから構成される。
【０００９】
ここで、図２を用いて、放送受信端末装置１００における、放送番組を再生・表示する方式について説明する。
１０１は、受信した放送波２の伝送路符号化の復号と、ＴＳを分離して本放送用の映像・音声符号化データと、データ放送コンテンツなどとに抜き出す放送波インタフェース（以下、ＩＦという）、
１０２は、入力される映像・音声符号化データをデコードして、映像フレームおよび音声フレームを生成する映像・音声再生部、
１０３は、入力される複数の映像フレーム、画像フレーム、および音声フレームデータを合成するフレーム合成処理部、
１０４は、入力される映像および音声を出力するモニタ＆スピーカ・デバイス、
１０５は、視聴者がチャネル変更操作などを行うリモコン、
１０６は、リモコン１０５から送出される赤外線、
１０７は、赤外線１０６を受ける赤外線ＩＦ
１０８は、放送受信端末装置１００の初期設定などを永続的に記憶する永続記憶領域、
１０９は、インターネットなどの外部ネットワークに接続するネットワークＩＦ、
１１０は、データ放送コンテンツを再生するデータ放送ブラウザ、
１１１は、データ放送ブラウザ１１０に内蔵されて、データ放送コンテンツと放送受信端末装置１００のＨ／Ｗとの各種ＡＰＩ（Application Program Interface）を司る手続き記述処理部、
１１２は、データ放送ブラウザ１１０にてデータ放送コンテンツの再生処理に必要なワークメモリ領域である再生メモリ、
１１３は、データ放送ブラウザ１１０にてデータ放送コンテンツの画面切り替えの際、再生中の画面用データを一旦退避しておくメモリ領域の退避メモリ、
１２０は、以降に説明するコンテンツ関連情報提供サーバ２００にアクセスする際に使用する専用プロトコルとデータ放送コンテンツで使用する手続き記述に変換するリモートサーバアクセスプロトコル−手続き記述変換部、
１２１は、手続き記述処理部１１１からの手続き記述の処理をコンテンツ関連情報提供サーバ２００用の専用プロトコルに変換して送信する手続き記述→アクセスプロトコル変換部、
１２２は、ネットワークＩＦ１０９を介してコンテンツ関連情報提供サーバ２００から受信される専用プロトコルを手続き記述に変換するアクセスプロトコル→手続き記述変換部である。
【００１０】
次に、動作について説明する。
放送受信端末装置１００では、放送を受信するにあたり、設置場所の郵便番号・住所やインターネット接続設定など、例えば図３に示すような各種初期設定を予め設定し、永続記憶領域１０８に記憶させておく。
【００１１】
視聴者がリモコン１０５で指定したチャネルの放送波２を受信アンテナ９９で受信し、放送波ＩＦ１０１で伝送路復号とＴＳ分離を行って生成した、映像・音声符号化データを映像・音声生成部１０２に、データ放送コンテンツをデータ放送ブラウザ１１０に引き渡す。映像・音声再生部１０２では映像フレームおよび音声フレームを復号する。データ放送ブラウザ１１０では、再生メモリ１１２を利用して、データ放送コンテンツのマークアップ言語に従って、コンテンツ内容を展開／再生し、画像フレームや効果音などの音声フレームを生成し、これをフレーム合成処理１０３に引き渡す。この時、マークアップ言語内に手続き記述がある場合は、これを手続き記述処理部１１１に引き渡し、しかるべき処理を実施する。例えば、手続き記述に表示中の画面を退避させて、別画面表示させる手続き記述があった場合は、手続き記述処理部１１１で再生メモリ１１２の内容（またはコンテンツのデータそのものと、現在のコンテンツ再生状態）を退避メモリ１１３に退避させた後、データ放送ブラウザ１１０にて再生メモリ１１２を用いて次画面のコンテンツ再生処理を開始する、などである。
【００１２】
最後に、映像フレーム、音声フレーム、画像フレームをフレーム合成処理部１０３で映像、音声毎にフレーム合成してモニタ＆スピーカ１０４に出力することで、放送サービスの視聴環境を提供する。
【００１３】
また、コンテンツ関連情報提供サーバ２００について説明する。これは、放送局が放送する過去・現在・将来の放送番組などの放送コンテンツの番組名・ジャンル・放送スケジュール・概要説明などの属性情報で構成されるコンテンツ関連情報のベータベースサーバである。このコンテンツ関連情報の一例としては、社団法人  電波産業会  発行の  ＡＲＩＢ  ＳＴＤ−Ｂ３８「サーバ型放送における符号化、伝送及び蓄積制御方式」に規定されるものがあげられ、ＸＭＬ（eXtensible Markup Language、Ｗ３Ｃ勧告）形式で属性を示したマークアップ言語のテキスト情報で記述される。また、これはＳＯＡＰ（Simple Object Access Protocol、Ｗ３Ｃ Technical Reports）などの要求・応答メッセージによる専用プロトコルを利用して、要求元に提供される。
【００１４】
ここで、放送局１のコンテンツ制作者の意図によって、ネットワーク経由で外部コンテンツ関連情報を取得させるため、外部コンテンツ関連情報取得手続き記述を入れ込んだデータ放送コンテンツが放送された場合について説明する。
【００１５】
放送局１では、前記と同様に、外部コンテンツ関連情報取得手続き記述を含むデータ放送サービスと本放送サービスとをＴＳ多重・伝送路符号化して、放送波２として放送する。
放送受信端末装置１００では、予めコンテンツ関連情報提供サーバ２００へのアドレスを永続記憶領域１０８に記憶させておく。前記のように、受信した放送波２から取出されたデータ放送コンテンツがデータ放送ブラウザ１１０に渡され、マークアップ言語に従ってコンテンツの再生処理を開始する。手続き記述処理部１１１では、引き渡された手続き記述から外部コンテンツ関連情報取得手続き記述を見つけると、リモートサーバアクセスプロトコル−手続き記述変換部１２０にこれを転送する。リモートサーバアクセスプロトコル−手続き記述変換部１２０の手続き記述→アクセスプロトコル変換部１２１では、外部コンテンツ関連情報取得手続き記述を引き渡されると、永続記憶領域１０８からコンテンツ関連情報提供サーバ・アドレス（図３ではＵＲＩとして表示）を取得して、コンテンツ関連情報提供サーバ２００の専用プロトコルの要求メッセージに変換し、ネットワークＩＦ１０９からネットワーク３経由で、外部コンテンツ関連情報の提供要求を送信する。
【００１６】
コンテンツ関連情報提供サーバ２００では、放送受信端末装置１００からの要求メッセージに対して、外部コンテンツ関連情報を添付した応答メッセージを返送する。
【００１７】
放送受信端末装置１００では、ネットワークＩＦ１０９で受信した応答メッセージをリモートサーバアクセスプロトコル−手続き記述変換部１２０のアクセスプロトコル→手続き記述変換部１２２にてプロトコル解釈を行い、正常応答の場合は添付される外部コンテンツ関連情報を抜き出し、手続き記述処理部１１１に戻すことにより、データ放送ブラウザ１１０内で処理中のデータ放送コンテンツにて外部コンテンツ関連情報を取得することができる。
【００１８】
以上のように、本発明におけるデジタル放送システムでは、データ放送方式として、外部コンテンツ関連情報を取得するための手続き記述を規定し、放送受信端末装置内に、外部のコンテンツ関連情報提供サーバへのアドレスを記憶する領域を設け、外部のコンテンツ関連情報提供サーバにアクセスするための専用プロトコルと、外部コンテンツ関連情報を取得するための手続き記述とを変換する処理部を設けているので、データ放送コンテンツから外部コンテンツ関連情報を取得することができるため、データ連携が可能となる。
【００１９】
実施の形態２．
以上の実施の形態１では、コンテンツ制作者の意図に従って、取得したネットワーク経由で外部コンテンツ関連情報をデータ放送コンテンツ内に取得可能にするデジタル放送システムの動作について説明したものであるが、次の実施の形態２では、取得した外部コンテンツ関連情報をデータ放送コンテンツ内で自由に操作するため、コンテンツ関連情報提供サーバから添付送付されたＸＭＬ文書形式の外部コンテンツ関連情報のまま、手続き記述処理部に引き渡し、データ放送ブラウザ内の手続き記述処理部で処理し、データ放送コンテンツの再生画面に組込み表示する一方法について説明する。
【００２０】
ここでは、図２、４、５、６を用いて説明する。このうち、図２は実施の形態１の説明に同じである。
図４は、以下の（Ｓ１）の機能を持つ手続き記述の一例を示したものである。
（Ｓ１）外部コンテンツ関連情報取得手続き記述
：コンテンツ関連情報提供サーバから、ＸＭＬ文書形式のままで外部コンテンツ関連情報を取得する手続き記述
図５は、以下の（Ｓ２）の機能を持つ手続き記述の一例を示したものである。
（Ｓ２）コンテンツ関連情報解析手続き記述
：上記外部コンテンツ関連情報取得手続き記述などによって、すでに取得済みのコンテンツ関連情報の内容を解析し、データ放送コンテンツ内での取り扱いを可能にする手続き記述。
図６は、図２に示した手続き記述処理部１１１内で外部コンテンツ関連情報を解析する手続き記述処理部内蔵外部コンテンツ関連情報解析部１１４を追加したものである。
【００２１】
ここでは、放送局１のコンテンツ制作者の意図によって、（Ｓ１）外部コンテンツ関連情報取得手続き記述  で取得させた外部コンテンツ関連情報を（Ｓ２）コンテンツ関連情報解析手続き記述  で解析させるようにしたデータ放送コンテンツの放送サービスの場合について説明する。
【００２２】
実施の形態１と同様に、放送受信端末装置１００では、受信した放送波２からデータ放送コンテンツを取出し、データ放送ブラウザ１１０にてコンテンツの再生処理を開始する。そこで、手続き記述があると、手続き記述処理部１１１に引き渡され、そこで内容を確認し、（Ｓ１）外部コンテンツ関連情報取得手続き記述  と認識すると、リモートサーバアクセスプロトコル−手続き記述変換部１２０にこれを転送する。リモートサーバアクセスプロトコル−手続き記述変換部１２０の手続き記述→アクセスプロトコル変換部１２１では、外部コンテンツ関連情報取得手続き記述を引き渡され、永続記憶領域１０８からコンテンツ関連情報提供サーバ・アドレスを取得して、コンテンツ関連情報提供サーバ２００の専用プロトコルの要求メッセージに変換し、ネットワークＩＦ１０９からネットワーク３経由で、外部コンテンツ関連情報の提供要求を送信する。コンテンツ関連情報提供サーバ２００では、放送受信端末装置１００からの要求メッセージに対して、外部コンテンツ関連情報を添付した応答メッセージを返送する。
【００２３】
放送受信端末装置１００では、ネットワークＩＦ１０９で受信した応答メッセージをリモートサーバアクセスプロトコル−手続き記述変換部１２０のアクセスプロトコル→手続き記述変換部１２２にてプロトコル解釈を行い、正常応答の場合は添付の外部コンテンツ関連情報を抜出し、手続き記述処理部１１１にこれら返す。これにより、手続き記述処理部１１１では、（Ｓ１）外部コンテンツ関連情報取得手続き記述  の正常応答として、データ放送ブラウザ１１０に外部コンテンツ関連情報を返す。
【００２４】
データ放送ブラウザ１１０は、データ放送コンテンツの次から再生処理を行い、手続き記述があると、手続き記述処理部１１１に引き渡す。手続き記述処理部１１１では、内容を確認し、（Ｓ２）コンテンツ関連情報解析手続き記述  であれば、その手続き記述に示されるコンテンツ関連情報を手続き記述処理部内蔵外部コンテンツ関連情報解析部１１４に渡して、コンテンツの題名・属性などの解析させ、データ放送ブラウザ１１０に解析結果の配列を返す。
【００２５】
以上のように、本実施の形態２における放送受信端末装置では、データ放送コンテンツ内の手続き記述の指示により、コンテンツ関連情報提供サーバからの外部コンテンツ関連情報をデータ放送コンテンツで扱うために、手続き記述処理部内でコンテンツ関連情報文書の内容を解析し、データ放送コンテンツ内で取り扱い可能な形式に変換するように構成した。これにより、データ放送ブラウザによって、外部コンテンツ関連情報が閲覧可能であれば、それの入手元の場所によらず、内容を自由に解析可能である。
【００２６】
以上の説明では、データ放送ブラウザ内で外部コンテンツ関連情報を取得、またはそれを取り扱う際、その文書形式であるＸＭＬ文書の取扱いを開始するための初期化手順、および取扱いを終了する開放手順などについては記述しなかったが、必要に応じて実施させるものとする。
【００２７】
また、以上の説明では、図４および図５として外部コンテンツ関連情報の取得と解析を行う手続き記述をそれぞれ別の手続き記述として定義するものを示したが、後述の図７のように双方の機能を１つの手続き記述で実施するものであってもよい。
【００２８】
また、上記コンテンツ関連情報解析手続き記述の図では、引数として取得する情報を絞り込むためのキーワードを用いるものを示したが、その内容は必要に応じて使用すればよい。
【００２９】
実施の形態３．
実施の形態２では、データ放送ブラウザの手続き記述処理部内で、コンテンツ関連情報提供サーバから外部コンテンツ関連情報を取得して、内容を解析するものを示したが、本実施の形態３では、データ放送ブラウザの外部で、取得した外部コンテンツ関連情報の内容を解析する方法について示す。
【００３０】
ここでは、図２、７、８を用いて説明する。このうち、図２は実施の形態１の説明に同じである。
図７は、以下の（Ｓ３）の機能を持つ手続き記述  の一例を示したものである。
（Ｓ３）外部コンテンツ関連情報取得・解析手続き記述
：コンテンツ関連情報提供サーバから取得したＸＭＬ文書形式の外部コンテンツ関連情報の内容を解析し、データ放送コンテンツ内での取り扱いを可能にする手続き記述
図８は、図２に示したリモートサーバアクセスプロトコル−手続き記述変換部１２０内で外部コンテンツ関連情報を解析するアクセスプロトコル−手続き記述変換部内蔵外部コンテンツ関連情報解析部１２３を追加したものである。
【００３１】
ここでは、放送局１のコンテンツ制作者の意図によって、（Ｓ３）外部コンテンツ関連情報取得・解析手続き記述  で外部コンテンツ関連情報を取得させ、内容解析するようにしたデータ放送コンテンツの放送サービスの場合について説明する。
【００３２】
実施の形態２と同様に、放送受信端末装置１００では、受信した放送波２から取出したデータ放送コンテンツについて、データ放送ブラウザ１１０で再生処理を開始し、手続き記述があると手続き記述処理部１１１に引き渡す。手続き記述１１１で、内容確認し、（Ｓ３）外部コンテンツ関連情報取得・解析手続き記述  と認識すると、リモートサーバアクセスプロトコル−手続き記述変換部１２０にこれを転送し、手続き記述→アクセスプロトコル変換部１２１で、コンテンツ関連情報提供サーバ２００の専用プロトコルの要求メッセージに変換し、永続記憶領域１０８にあるコンテンツ関連情報提供サーバ・アドレスで、ネットワークＩＦ１０９からネットワーク３経由で、外部コンテンツ関連情報の提供要求を送信する。コンテンツ関連情報提供サーバ２００では、放送受信端末装置１００からの要求メッセージに対して、外部コンテンツ関連情報を添付した応答メッセージを返送する。
放送受信端末装置１００では、ネットワークＩＦ１０９で受信した応答メッセージをリモートサーバアクセスプロトコル−手続き記述変換部１２０のアクセスプロトコル→手続き記述変換部１２２にてプロトコル解釈を行い、正常応答の場合は添付の外部コンテンツ関連情報を抜出し、アクセスプロトコル−手続き記述変換部内蔵外部コンテンツ関連情報解析部１２３に引き渡して、コンテンツの題名・属性などの解析させ、データ放送ブラウザ１１０に解析結果の配列を返す。
【００３３】
以上のように、本実施の形態３における放送受信端末装置では、データ放送コンテンツ内の手続き記述の指示により、コンテンツ関連情報提供サーバからの外部コンテンツ関連情報をデータ放送コンテンツで扱うために、データ放送ブラウザ以外の機能を利用するよう、構成したことにより、データ放送ブラウザの構造を簡易にすることができる。
【００３４】
以上の説明では、外部コンテンツ関連情報の取得と解析を行う手続き記述を図７に示した１つの手続き記述として定義するものを示したが、図４および図５のように双方の機能を別の手続き記述で実施するものであってもよい。かつ、上記コンテンツ関連情報解析手続き記述の図では、解析結果として返される配列の先頭に、配列名など、その配列のヘッダ情報を入れるようにしたが、これは多様な属性に対応するための方式であって、運用などによって一意に定義可能であれば、省略するものであってもよい。
【００３５】
実施の形態４．
以上の実施の形態１〜３では、コンテンツ関連情報提供サーバの専用プロトコルをデータ放送ブラウザの外で処理するものを記述したが、本実施の形態４ではデータ放送ブラウザの手続き記述処理部で、専用プロトコルを処理する方法について説明する。
【００３６】
ここで、改めて実施の形態１に記載したコンテンツ関連情提供サーバ２００用の専用プロトコルについて、再度説明する。この専用プロトコルの一例としてあげたＳＯＡＰは、ＸＭＬ形式でメッセージ種別とその詳細情報で構成される要求および応答などのメッセージであり、これらのメッセージはＨＴＴＰ（Hyper Text Transfer Protocol、ＩＥＴＦ  ＲＦＣ）コマンドによるプロトコルを利用して転送される。ＳＯＡＰでの要求メッセージの詳細情報にはどのような内容のコンテンツ関連情報を要求するのかが入れられ、また応答メッセージには要求されたコンテンツ関連情報が入れられる。
【００３７】
ここでは、図９、１０、１１を用いて説明する。
図９は、コンテンツ関連情報提供サーバ２００のメッセージを処理するデータ放送ブラウザ１１０を持つ前記放送受信端末装置１００であり、外部コンテンツ関連情報問合せメッセージ生成部１１５を新たに追加し、その他は図２に同じである。
図１０は、以下の（Ｓ４）要求メッセージ付外部コンテンツ関連情報取得手続き記述  の一例を示したものである。
（Ｓ４）要求メッセージ付外部コンテンツ関連情報取得手続き記述
：指定の要求メッセージ記述ファイルを利用して、コンテンツ関連情報提供サーバから外部コンテンツ関連情報を取得する手続き記述
図１１は、要求メッセージ記述ファイルの一例であり、（Ｓ４）要求メッセージ付外部コンテンツ関連情報取得手続き記述  を用いたデータ放送コンテンツに同封して、放送されるものである。
【００３８】
ここでは、放送局１のコンテンツ制作者の意図によって、（Ｓ４）要求メッセージ付外部コンテンツ関連情報取得手続き記述  を記述し、図１１の要求メッセージ記述ファイルを同封する、データ放送サービスの場合について説明する。
【００３９】
実施の形態１〜３と同様に、放送受信端末装置１００では、受信した放送波２から取出したデータ放送コンテンツについて、データ放送ブラウザ１１０で再生処理を開始し、手続き記述があると手続き記述処理部１１１に引き渡す。手続き記述１１１で、内容確認し、（Ｓ４）要求メッセージ付外部コンテンツ関連情報取得手続き記述  と認識すると、外部コンテンツ関連情報問合せメッセージ生成部１１５にこれを渡す。外部コンテンツ関連情報問合せメッセージ生成部１１５において、（Ｓ４）要求メッセージ付外部コンテンツ関連情報取得手続き記述  の指示に従い、要求メッセージ記述ファイルを手続き記述→アクセスプロトコル変換部１２１に渡す。手続き記述→アクセスプロトコル変換部１２１では、永続記憶領域１０８からコンテンツ関連情報提供サーバ・アドレスを取出して、専用プロトコルにして、ネットワークＩＦ１０９からネットワーク３経由で、外部コンテンツ関連情報の提供要求を送信する。
【００４０】
コンテンツ関連情報提供サーバ２００では、放送受信端末装置１００からの要求メッセージに対して、外部コンテンツ関連情報を添付した応答メッセージを返送する。
放送受信端末装置１００では、ネットワークＩＦ１０９から受信した専用プロトコルをアクセスプロトコル→手続き記述変換部１２２で解釈して、それから外部コンテンツ関連情報を抜き出し、手続き記述処理部１１１に引き渡すことにより、（Ｓ４）要求メッセージ付外部コンテンツ関連情報取得手続き記述  の処理結果である外部コンテンツ関連情報がＸＭＬ文書ファイルとして通知する。
【００４１】
以上のように構成することにより、ＸＭＬ形式を用いる要求メッセージをデータ放送ブラウザで処理可能となる。また、本実施の形態４を用いれば、要求メッセージをデータ放送ブラウザにて生成する必要がないため、要求メッセージの詳細情報の内容によらず、対応可能となる。
【００４２】
また、本実施の形態４では要求メッセージ送信と、その応答メッセージとして受信する外部コンテンツ関連情報の解析を１つの手続き記述で実行するものを示したが、別々に（またはそれらの組合せで）実行するものであってもよい。
【００４３】
実施の形態５．
上記実施の形態４では、データ放送ブラウザにおける外部コンテンツ関連情報取得のために、要求メッセージ記述ファイルを用い、かつ返答メッセージの確認箇所を明示した手続き方式を利用する場合を示したが、本実施の形態５ではメッセージの解釈・生成をデータ放送ブラウザにて行うデジタル放送システムについて説明する。なお、ブラウザ内部での伝送プロトコル変換処理のことを、メッセージの解釈・生成という。
【００４４】
ここでは、図７、１２を用いて説明する。図７は、実施の形態３に同様に、（Ｓ３）の機能を持つ手続き記述の一例を利用する。
図１２は、コンテンツ関連情報提供サーバのメッセージの解釈・生成を行うデータ放送ブラウザの一例であり、
１１６は、ＸＭＬ文書の解釈・生成を行うＸＭＬパーサ、
１１７は、ＸＭＬパーサ処理を取り除いたＸＭＬパーサ分離型外部コンテンツ関連情報問合せメッセージ生成部、
１１８は、ＸＭＬパーサ処理を取り除いた手続き記述処理部内蔵ＸＭＬパーサ分離外部コンテンツ関連情報解析部、その他は図２に同じである。
【００４５】
なお、ＸＭＬパーサ１１６、ＸＭＬパーサ分離型外部コンテンツ関連情報問合せメッセージ生成部１１７、および手続き記述処理部内蔵ＸＭＬパーサ分離型外部コンテンツ関連情報解析部１１８で、伝送プロトコル−手続き記述変換部を構成する。
【００４６】
ここでは、実施の形態３と同様に、放送局１のコンテンツ制作者の意図によって、（Ｓ３）外部コンテンツ関連情報取得・解析手続き記述  で外部コンテンツ関連情報を取得させ、内容解析するようにしたデータ放送コンテンツの放送サービス場合について、説明する。
【００４７】
実施の形態３と同様、放送受信端末装置１００では、受信した放送波２から取出したデータ放送コンテンツについて、データ放送ブラウザ１１０で再生処理を開始し、手続き記述があると手続き記述処理部１１１に引き渡す。手続き記述１１１で、内容確認し、（Ｓ３）外部コンテンツ関連情報取得・解析手続き記述  と認識すると、ＸＭＬパーサ分離型外部コンテンツ関連情報問合せメッセージ生成部１１７にこれを渡す。ＸＭＬパーサ分離型外部コンテンツ関連情報問合せメッセージ生成部１１７において、（Ｓ３）外部コンテンツ関連情報取得・解析手続き記述  の内容をみて、永続記憶領域１０８にあるコンテンツ関連情報提供サーバ・アドレスを指定した外部コンテンツ関連情報取得要求であると認識して、手続き記述処理部１１１内部で用いられる形式のまま、ＸＭＬパーサ１１６に処理を依頼する。
【００４８】
ＸＭＬパーサ１１６では、該要求をコンテンツ関連情報提供サーバのメッセージであるＸＭＬ形式に変換して、ＸＭＬパーサ分離型外部コンテンツ関連情報問合せメッセージ生成部１１７に返し、ＸＭＬパーサ分離型外部コンテンツ関連情報問合せメッセージ生成部１１７でこれをネットワークＩＦ１０９からネットワーク３経由で、送出することで、外部コンテンツ関連情報の提供を要求する。
【００４９】
コンテンツ関連情報提供サーバ２００では、放送受信端末装置１００からの要求メッセージに対して、外部コンテンツ関連情報を添付した応答メッセージを返送する。
放送受信端末装置１００では、ネットワークＩＦ１０９で受信した応答メッセージは、データ放送ブラウザ１１０の手続き記述処理部内蔵ＸＭＬパーサ分離外部コンテンツ関連情報解析部１１８で受けて、正常応答の場合は、ＸＭＬパーサ１１６に引き渡す。ＸＭＬパーサ１１６で、ＸＭＬ形式から手続き記述処理部１１１内部の形式に変換して、手続き記述処理部内蔵ＸＭＬパーサ分離外部コンテンツ関連情報解析部１１８にてこれを（Ｓ３）外部コンテンツ関連情報取得・解析手続き記述  の応答として返して、データ放送ブラウザで利用可能となる。
【００５０】
以上のように構成することにより、データ放送ブラウザ内のＸＭＬパーサで一括してＸＭＬ形式データの解釈・作成を行えるようになる。
【００５１】
以上の実施の形態５では、コンテンツ関連情報提供サーバからの返答をデータ放送ブラウザでは最初にＸＭＬパーサで受け、全ての返答内容を一度に構造解析するようにしたが、プロトコルとコンテンツ関連情報を分けた後、別々にＸＭＬパーサで解析処理させるものであってもよい。
【００５２】
実施の形態６．
以上では、データ放送ブラウザにおける外部コンテンツ関連情報取得の際、コンテンツ関連情報提供サーバからの返答があるまで、待ち続けるものを説明したが、本実施の形態６では割込みにより返答を通知するものについて説明する。
【００５３】
図としては、図１３、１４、１５、１６を説明に用いる。
図１３は、以下の（Ｓ５）割込み対応外部コンテンツ関連情報要求手続き記述  の一例である。
（Ｓ５）割込み対応外部コンテンツ関連情報要求手続き記述
：外部コンテンツ関連情報提供サーバに外部コンテンツ関連情報の提供を要求する手続き記述。本要求の最終結果である外部コンテンツ関連情報は、割込みイベントとして通知される。取得結果を割込みで通知させる、コンテンツ関連情報提供サーバからの外部コンテンツ関連情報取得手続き記述
図１４は、以下の（Ｓ６）割込み対応外部コンテンツ関連情報取得手続き記述  の一例である。
（Ｓ６）割込み対応外部コンテンツ関連情報取得手続き記述
：割込みにて通知されたＸＭＬ形式外部コンテンツ関連情報を取得する手続き記述
図１５は、（Ｓ７）割込み対応外部コンテンツ関連情報取得での返答割込み通知用手続き記述  の一例である。
（Ｓ７）割込み対応外部コンテンツ関連情報取得での返答割込み通知用手続き記述
：（Ｓ５）割込み対応外部コンテンツ関連情報要求手続き記述に対する情報取得結果の割込み通知手続き記述
図１６は、図２のリモートサーバアクセスプロトコル−手続き記述変換部１２０において、外部コンテンツ関連情報取得の返答に割込み通知を行う機能を追加したものであり、
１２４は、ネットワークＩＦ１０９への要求送信完了で手続き記述処理を終了する割込み対応版手続き記述→アクセスプロトコル変換部
１２５は、コンテンツ関連情報提供サーバ２００からの返答があった時に、ネットワークＩＦ１０９からリモートサーバアクセスプロトコル−手続き記述変換部１２０に通知されると、これをデータ放送コンテンツへの割込み通知として処理する割込み対応版アクセスプロトコル→手続き記述変換部である。
【００５４】
なお、割込み対応版手続き記述→アクセスプロトコル変換部１２４と割込み対応版アクセスプロトコル→手続き記述変換部１２５で、コンテンツ関連情報取得割込み通知部を構成する。
【００５５】
ここでは、放送局１のコンテンツ制作者の意図によって、（Ｓ５）割込み対応外部コンテンツ関連情報要求手続き記述、（Ｓ６）割込み対応外部コンテンツ関連情報取得手続き記述、（Ｓ７）割込み対応外部コンテンツ関連情報取得での返答割込み通知用手続き記述  を記述したデータ放送サービスの場合について説明する。
【００５６】
上記と同様に、放送受信端末装置１００では、受信した放送波２から取出したデータ放送コンテンツについて、データ放送ブラウザ１１０で再生処理を開始し、手続き記述があると手続き記述処理部１１１に引き渡す。手続き記述１１１で、内容確認し、（Ｓ５）割込み対応外部コンテンツ関連情報要求手続き記述  と認識すると、リモートサーバアクセスプロトコル−手続き記述変換部１２０内の割込み対応版手続き記述→アクセスプロトコル変換部１２４にこれを渡す。割込み対応版手続き記述→アクセスプロトコル変換部１２４において、（Ｓ５）割込み対応外部コンテンツ関連情報要求手続き記述  の指示に従い、永続記憶領域１０８にあるコンテンツ関連情報提供サーバ・アドレスを取出して、ネットワークＩＦ１０９からネットワーク３経由で、外部コンテンツ関連情報の提供要求を送信し、手続き記述処理部１１１に（Ｓ５）割込み対応外部コンテンツ関連情報要求手続き記述  の処理が終了したことを通知する。
【００５７】
データ放送ブラウザ１１０では、引き続くデータ放送コンテンツの再生処理を行い、そこで（Ｓ６）割込み対応外部コンテンツ関連情報取得手続き記述  があれば、これを手続き記述処理部１１１に引き渡す。手続き記述処理部１１１では、本手続き記述は、割込み通知の後に実行するものとして、処理を保留しておく。
【００５８】
また、コンテンツ関連情報提供サーバ２００では、放送受信端末装置１００からの要求メッセージに対して、外部コンテンツ関連情報を添付した応答メッセージを返送する。
【００５９】
放送受信端末装置１００では、ネットワークＩＦ１０９で受信した応答メッセージは、リモートサーバアクセスプロトコル−手続き記述変換部１２０内の割込み対応版アクセスプロトコル→手続き記述変換部１２５にて確認し、正常応答であれば、添付される外部コンテンツ関連情報を取出すとともに、手続き記述処理部１１１に対し、（Ｓ７）割込み対応外部コンテンツ関連情報取得での返答割込み通知用手続き記述  として通知する。
この（Ｓ７）割込み対応外部コンテンツ関連情報取得での返答割込み通知用手続き記述  通知により、手続き記述処理部１１１は先ほど保留した、（Ｓ６）割込み対応外部コンテンツ関連情報取得手続き記述  の処理を再開し、割込み対応版アクセスプロトコル→手続き記述変換部１２５から外部コンテンツ関連情報を取出す。
【００６０】
以上のように構成したことにより、コンテンツ関連情報提供サーバからの情報提供に時間がかかる場合であっても、データ放送ブラウザでのコンテンツ再生に支障が及ばずにすむ。
【００６１】
本実施の形態６に記載の外部コンテンツ関連情報取得時の割り込み通知方法は、上記実施の形態２、３、４、５と組み合わせて、構成してもよい。
【図面の簡単な説明】
【００６２】
【図１】この発明のデジタル放送システムの構成図
【図２】この発明の放送受信端末装置の構成図
【図３】この発明の放送受信端末装置における記憶情報の一例を示す図
【図４】この発明の手続き記述の一例を示す図
【図５】この発明の手続き記述の一例を示す図
【図６】この発明の放送受信端末装置の構成図
【図７】この発明の手続き記述の一例を示す図
【図８】この発明の放送受信端末装置の構成図
【図９】この発明の放送受信端末装置の構成図
【図１０】この発明の手続き記述の一例を示す図
【図１１】この発明の要求メッセージ記述ファイルの一例を示す図
【図１２】この発明の放送受信端末装置の構成図
【図１３】この発明の手続き記述の一例を示す図
【図１４】この発明の手続き記述の一例を示す図
【図１５】この発明の手続き記述の一例を示す図
【図１６】この発明の放送受信端末装置の構成図
【符号の説明】
【００６３】
１００  放送受信端末装置
１１０  データ放送ブラウザ
１１１  手続き記述処理部
１１４  外部コンテンツ関連情報解析部
１２０  リモートサーバアクセスプロトコル−手続き記述変換部
【図１】
2006197353.tif 000003
【図２】
2006197353.tif 000004
【図３】
2006197353.tif 000005
【図４】
2006197353.tif 000006
【図５】
2006197353.tif 000007
【図６】
2006197353.tif 000008
【図７】
2006197353.tif 000009
【図８】
2006197353.tif 000010
【図９】
2006197353.tif 000011
【図１０】
2006197353.tif 000012
【図１１】
2006197353.tif 000013
【図１２】
2006197353.tif 000014
【図１３】
2006197353.tif 000015
【図１４】
2006197353.tif 000016
【図１５】
2006197353.tif 000017
【図１６】
2006197353.tif 000018